(57)【要約】      （修正有）【課題】簡単な作業により生花を飾りとして装着でき、且つ、生花を長持ちさせることのできる生花を装着可能な指輪を提供する。【解決手段】指輪リング２と、該指輪リング２に取り付けた円板状台板３と、吸水性スポンジ４と、表面に多数の穴を設けた弾性を有する指サック状袋体５を備えて構成する。指サック状袋体５に吸水性スポンジ４を吸水させた状態で詰め、指サック状袋体５の開口部に円板状台板３を押し込んで指サック状袋体５を円板状台板３に固定する。指サック状袋体５の多数の穴７を通して生花の茎を吸水性スポンジ４に差し込んで飾る。【選択図】図３
0003182641.tif 000002
【実用新案登録請求の範囲】
【請求項１】
生花を装着可能な指輪であって、指輪リングと、該指輪リングに取り付けた円板状台板と、吸水性スポンジと、表面に多数の穴を設けた弾性を有する指サック状袋体とを備え、
前記指サック状袋体内に前記吸水性スポンジを吸水させた状態で詰め、指サック状袋体の開口部に前記円板状台板を押し込んで指サック状袋体を円板状台板に固定したことを特徴とする指輪であり、該指輪の前記指サック状袋体の多数の穴を通して生花の茎を前記吸水性スポンジに差し込んで使用する生花を装着可能な指輪。
【考案の詳細な説明】
【技術分野】
【０００１】
本考案は、生花を飾りとして装着可能な指輪に関する。
【背景技術】
【０００２】
指輪は貴金属で形成したリングに台座を取り付け、台座上に宝石や真珠を飾った装飾品である。美しいものであるが小さい装飾品であるため結婚式やパーティーなどの晴れの舞台では目立ちにくい。結婚式では花嫁がブーケと呼ばれる生花の花束を持つ。お色直しで和服に着替えた場合に和服にあった生花の指輪を付けることができれば、生花で変化がついてある意味、宝石や真珠の指輪よりも贅沢で華やかな感じがする。
【０００３】
従来、指輪に装飾用の花を付ける場合は、ドライフラワーや専用溶液で加工したプリザーブドフラワーを用いるのが一般的であった。しかし、こうしたフラワーは色の鮮やかさや柔らかな感触に欠ける問題がある。生花をそのまま装身具に取り付ける従来技術としては、例えば、特許文献１には装身バンドに生花を取り付けた生花用装身具が開示されている。この生花用装身具は、台板の上に吸水性スポンジを接着剤で接着し、そのスポンジに生花をこれも接着剤で接着するものである。しかし、吸水性の高いスポンジは脆く、強度も弱いため生花の姿勢を一定に保つのは困難である。また、スポンジに生花を接着剤で接着する作業は簡単ではない。
【先行技術文献】
【特許文献】
【０００４】
【特許文献１】実用新案登録第３０１８２６６号公報
【考案の開示】
【考案が解決しようとする課題】
【０００５】
本考案は、従来技術のこうした問題点を解決するためになされたもので、その課題は、簡単な作業により生花を飾りとして装着でき、且つ、生花を長持ちさせることのできる指輪を提供することにある。
【課題を解決するための手段】
【０００６】
前記課題を解決するための請求項１に記載の考案は、生花を装着可能な指輪であって、指輪リングと、該指輪リングに取り付けた円板状台板と、吸水性スポンジと、表面に多数の穴を設けた弾性を有する指サック状袋体とを備え、指サック状袋体内に吸水性スポンジを吸水させた状態で詰め、指サック状袋体の開口部に円板状台板を押し込んで指サック状袋体を円板状台板に固定して構成したことを特徴とする指輪である。該指輪の指サック状袋体の多数の穴を通して生花の茎を吸水性スポンジに差し込んで使用する。
【０００７】
このような構成によれば、生花の茎が指サック状袋体内に詰めた吸水させた吸水性スポンジに差し込まれた状態となるので、茎が吸水性スポンジから水を吸いあげることにより生花は長持ちし、長時間に渡り新鮮さが保たれる利点を有する。
【図面の簡単な説明】
【０００８】
【図１】本考案に係る指輪１の外観図である。
【図２】指輪１に生花を装着した状態の外観図である。
【図３】指輪１の分解図である。
【図４】指輪リング２に円板状台板３を固定した状態の外観図である。
【考案を実施するための形態】
【０００９】
以下、本考案に係る生花を装着可能な指輪の一実施形態について図面を参照して説明する。図１は本考案に係る指輪１の外観図、図２はその指輪１に生花を装着した状態の外観図、図３は指輪１の分解図である。
【００１０】
本実施形態の生花を装着可能な指輪１は、図３に示すように指輪本体である指輪リング２と、その指輪リング２に固定する円板状台板３と、吸水性スポンジ４と、指サック状袋体５を備えて構成される。指輪リング２は、塑性変形可能な金、銀、銅、アルミニュウム、真鍮等で製作した細長形状の鋳物板を、端部が重なる形の円形リングに形成したものである。塑性変形可能な材料で形成されているので、着用する人の指寸法に合わせて円形リングの内径を容易に調整できる。
【００１１】
円板状台板３は、指輪リング２に固定され、その上に吸水性スポンジ４を詰めた指サック状袋体５を取り付けるためのものである。本実施形態の円板状台板３は、硬めの柔軟性を備えた合成樹脂材料で円板状に形成し、中央部に長方形切り込み６を２本、平行に設けてある。この切り込み６に細長形状の鋳物板で形成した指輪リング２を通し、図４に示すように円板状台板３を固定する。なお、固定の方法は他の方法、例えば、接着剤で固定したり、嵌め合わせたりして固定する方法でもよい。また、円板状台板３の材料は合成樹脂材料に限らず、例えば、銅、アルミニウム等の金属材料でもよい。また、円板状に代えて楕円形、四角形、六角形等にしてもよい。
【００１２】
指サック状袋体５の長さは、図１、図２に示す完成後の形状を考慮して決める。指サック状袋体５には、水を吸わせた吸水性スポンジ４を詰める。指サック状袋体５の開口端部は円板状台板３への固定のために使用するので、開口端部５〜１０ｍｍ部分を残して袋内に吸水性スポンジ４を詰める。指サック状袋体５は弾性を有するゴム又は合成樹脂で製作する。前記開口端部を除く表面には直径１〜２ｍｍの穴を多数設けておく。
【００１３】
吸水性スポンジ４としては、フェノール樹脂を原料とした生花用吸水スポンジ、ポリウレタン製のフォーム等の吸水性の高いスポンジを使用する。吸水性スポンジ４は十分に吸水させた後、指サック状袋体５の形状に合わせてカットして詰める。次に、吸水性スポンジ４を詰めた指サック状袋体５の開口部を押し拡げ、指輪リング２に固定した円板状台板３を押し込んで指サック状袋体５に固定する。指サック状袋体５は弾性により固定するので、円板状台板３の径は指サック状袋体５の開口部の径より僅かに大きくしておく。
【００１４】
指サック状袋体５を固定したならば、飾りに使用する生花の茎を適当な長さに切り、吸水性スポンジ４の表面の穴を通して指サック状袋体５内の吸水性スポンジ４に差し込む。各種生花をバランス良く差し込むことにより図２に示すような生花で飾った指輪が完成する。
【００１５】
以上説明した本実施形態の生花を装着可能な指輪は、指サック状袋体５に詰めた吸水させた吸水性スポンジ４に生花の茎が差し込まれるので、茎が吸水性スポンジ４から水を吸いあげることにより生花は長持ちし、長時間に渡り新鮮さが保たれる利点を有する。
【符号の説明】
【００１６】
図面中、１は指輪、２は指輪リング、２は円板状台板、４は吸水性スポンジ、５は指サック状袋体、７は穴を示す。
【図１】
0003182641.tif 000003
【図２】
0003182641.tif 000004
【図３】
0003182641.tif 000005
【図４】
0003182641.tif 000006